(57)【要約】【課題】  移動通信端末において、無線接続要求に係る処理中にデッドロック状態となることを防止すると共に無線接続が確立できる状況であるにも係わらず無線接続を確立できないことを防止して接続率の向上を図る。【解決手段】  移動通信端末１０は、基地局への無線接続要求に係る処理を行う端末であって、受信した報知情報に基づき、当該報知情報に係るセルにおいて無線接続要求の送信を禁止する接続要求規制が自端末に対して適用されるか否かを判断する判断部１５と、無線接続要求に係る処理中に、判断部１５により当該セルにおいて接続要求規制が適用されると判断されると、当該セルへのセル移行を禁止する制御を行う制御部１６と、を備える。【選択図】  図１
2007201813.tif 000002
【特許請求の範囲】
【請求項１】
基地局への無線接続要求に係る処理を行う移動通信端末であって、
基地局から報知情報を受信して、当該受信した報知情報に基づき、当該基地局のセルにおいて無線接続要求の送信を禁止する接続要求規制が自端末に適用されるか否かを判断する判断手段と、
前記無線接続要求に係る処理中に、前記判断手段により前記セルにおいて前記接続要求規制が自端末に適用されると判断されると、当該セルへのセル移行を禁止する制御を行う制御手段と、
を備える移動通信端末。
【請求項２】
基地局への無線接続要求に係る処理を行う移動通信端末におけるセル移動制御方法であって、
基地局から報知情報を受信して、当該受信した報知情報に基づき、当該基地局のセルにおいて無線接続要求の送信を禁止する接続要求規制が自端末に適用されるか否かを判断する判断ステップと、
前記無線接続要求に係る処理中に、前記判断ステップにおいて前記セルにおいて前記接続要求規制が自端末に適用されると判断されると、当該セルへのセル移行を禁止する制御を行う制御ステップと、
を含むセル移動制御方法。
【発明の詳細な説明】
【技術分野】
【０００１】
本発明は、移動通信端末、及び当該移動通信端末におけるセル移行制御方法に関する。
【背景技術】
【０００２】
移動体通信網において、移動通信端末と基地局との間で無線接続が確立される際には次のような処理が行われる。移動通信端末は、基地局へ無線接続要求（RRC CONNECTION REQUEST）を送信して、当該無線接続要求に応じて基地局から送信される応答（RRC CONNECTION SETUP）を受信する。その後、移動通信端末がその応答に対して接続完了通知（RRC CONNECTION SETUP COMPLETE）を基地局へ送信することにより、無線接続が確立される。通常、基地局からの応答が無かった場合、複数回の無線接続要求の再送がなされる。
【０００３】
また、移動通信端末は、通信相手の基地局からの電波の強度（受信レベル）の劣化を検出すると、別の基地局からの電波の強度等に基づいていずれの基地局との通信を行うか判断して、通信相手の基地局の切り替え、即ちセル移行（CELL RESELECTION）を行う（例えば、下記の特許文献１参照）。
【特許文献１】特開２００４−１５９３０４号公報
【発明の開示】
【発明が解決しようとする課題】
【０００４】
ところで、移動体通信網におけるセルの中には、無線接続要求の送信を禁止する接続要求規制（例えば、３ＧＰＰ（3rd Generation Partnership Project）におけるＡＣＣ（Access Class Control）規制）が移動通信端末に対して適用されるものがある。この接続要求規制は、例えば、通信の混雑状態を緩和することを目的として行われる。
【０００５】
このような規制に関して以下のような問題点がある。例えば移動通信端末が無線接続要求を送信した後に、上記の接続要求規制が適用されるセルにセル移行した場合、セル移行後のセルでは無線接続要求の再送を行うことができない。このような場合、移動通信端末と基地局との間の無線接続が確立されず、移動通信端末は、無線接続要求に対する応答待ちあるいは無線接続要求の再送待ちとなり、いわゆるデッドロック状態となるおそれがある。また、移動通信端末と基地局との間の無線接続が確立できないため、当該無線通信要求に係る発呼等は呼損となる。
【０００６】
本発明は、以上の問題点を解決するためになされたものであり、無線接続要求に係る処理中にデッドロック状態となることを防止すると共に無線接続が確立できる状況であるにも係わらず無線接続を確立できないことを防止して接続率の向上を図ることができる移動通信端末及びセル移行制御方法を提供することを目的とする。
【課題を解決するための手段】
【０００７】
上記目的を達成するために、本発明に係る移動通信端末は、基地局への無線接続要求に係る処理を行う移動通信端末であって、基地局から報知情報を受信して、当該受信した報知情報に基づき、当該基地局のセルにおいて無線接続要求の送信を禁止する接続要求規制が自端末に適用されるか否かを判断する判断手段と、無線接続要求に係る処理中に、判断手段によりセルにおいて接続要求規制が自端末に適用されると判断されると、当該セルへのセル移行を禁止する制御を行う制御手段と、を備えることを特徴とする。
【０００８】
本発明に係る移動通信端末では、無線接続要求に係る処理中に、セル移行先となりうるセルにおいて無線接続要求の送信を禁止する接続要求規制が自端末に対して適用されると判断されると当該セル移行が禁止され、そのようなセルへのセル移行が行われない。これにより、移動通信端末は接続要求規制が適用されていないセルで無線接続要求の送信を行うことができる。従って、本発明に係る移動通信端末によれば、無線接続要求に係る処理中にデッドロック状態となることを防止すると共に無線接続が確立できる状況であるにも係わらず無線接続を確立できないことを防止して接続率の向上を図ることができる。
【０００９】
ところで、本発明は、上記のように移動通信端末の発明として記述できる他に、以下のように当該移動通信端末におけるセル移行制御方法の発明としても記述することができる。これはカテゴリが異なるだけで、実質的に同一の発明であり、同様の作用及び効果を奏する。
【００１０】
即ち、本発明に係るセル移行制御方法は、基地局への無線接続要求に係る処理を行う移動通信端末におけるセル移動制御方法であって、基地局から報知情報を受信して、当該受信した報知情報に基づき、当該基地局のセルにおいて無線接続要求の送信を禁止する接続要求規制が自端末に適用されるか否かを判断する判断ステップと、無線接続要求に係る処理中に、判断ステップにおいてセルにおいて接続要求規制が自端末に適用されると判断されると、当該セルへのセル移行を禁止する制御を行う制御ステップと、を含むことを特徴とする。
【発明の効果】
【００１１】
本発明では、無線接続要求に係る処理中には、接続要求規制が適用されるセルへのセル移行が行われず、移動通信端末は接続要求規制が適用されていないセルで無線接続要求の送信を行うことができる。従って、本発明によれば、無線接続要求に係る処理中にデッドロック状態となることを防止すると共に無線接続が確立できる状況であるにも係わらず無線接続を確立できないことを防止して接続率の向上を図ることができる。
【発明を実施するための最良の形態】
【００１２】
以下、図面とともに本発明に係る移動通信端末及びセル移行制御方法の好適な実施形態について詳細に説明する。なお、図面の説明においては同一要素には同一符号を付し、重複する説明を省略する。
【００１３】
図１に本実施形態に係る移動通信端末１０の構成を示す。本実施形態では、移動通信端末１０は、移動体通信を行うことができる携帯電話機である。移動通信端末１０は、具体的には、ＣＰＵ（Central Processing Unit）、メモリ、及びアンテナなどの移動体通信用モジュール等のハードウェアにより構成されており、それらが動作することにより、以下に説明する移動通信端末１０の各機能が発揮される。図１に示すように、移動通信端末１０は、送受信部１１と、携帯電話機能部１２と、移動通信機能部１３と、記憶部１４と、判断部１５と、制御部１６を備える。
【００１４】
送受信部１１は、アンテナに接続されており、移動体通信用の電波を送受信する手段である。送受信部１１は、通信データと電波との間の変換等も行う。
【００１５】
携帯電話機能部１２は、送受信部１１に接続されており、携帯電話機としての機能を担う手段である。例えば、マイクやスピーカ等のハードウェアに接続されており、ユーザから入力された音声を通信データに変換して送受信部１１に送信したり、送受信部１１から通信データを受信して音声に変換して出力したりする。
【００１６】
移動通信機能部１３は、送受信部１１と携帯電話機能部１２と記憶部１４とに接続されており、移動通信端末１０の移動体通信の機能を実行する手段である。移動通信端末１０において、移動通信機能部１３により制御される移動体通信の機能として、無線接続の確立と、セル移行とがある。
【００１７】
無線接続の確立は、例えば、通話を行うための発呼の際やデータ通信の開始の際に行われ、次のように行われる。図２に示すように、まず、移動通信機能部１３が送受信部１１を介して、移動体通信網を構成する基地局２０（基地局２０ａ，２０ｂの総称）に、無線接続要求（RRC CONNECTION REQUEST）３１を送信する。当該無線接続要求３１を受信した基地局２０は、移動通信端末１０からの無線接続が可能な場合は、移動通信端末１０に対して、当該無線接続要求３１に応じた応答（RRC CONNECTION SETUP）３２を送信する。移動通信端末１０では、移動通信機能部１３が送受信部１１を介して、当該応答３２を受信して応答３２に対して接続完了通知（RRC CONNECTION SETUP COMPLETE）（図示せず）を基地局２０へ送信して、無線接続が確立される。
【００１８】
移動通信機能部１３は、基地局２０からの応答が無かった場合、無線接続要求の再送を行う。無線接続要求の再送は、移動通信機能部１３が、再送タイマ（３ＧＰＰ（3rd Generation Partnership Project）におけるＴ３００）により無線接続要求を送信（再送を含む）してからの時間を計測して、満了値（３ＧＰＰにおけるＶ３００）に達したら再送を行う、というように行われる。満了値は、例えば、２〜３秒程度の時間が設定される。無線接続要求の再送の回数の情報は、記憶部１４により記憶されており、移動通信機能部１３は無線接続要求の再送を行う際にその情報を参照する。無線接続要求の再送の回数は、予め設定されていてもよいし、移動通信端末１０が受信する、基地局２０からの報知情報に含まれる設定情報に基づいて適宜設定されてもよい。再送の回数としては、例えば、５回程度の回数が設定される。
【００１９】
このように、移動通信機能部１３は、基地局２０への無線接続要求に係る一連の処理を行う手段である。移動通信機能部１３は、例えば無線接続要求を基地局２０に送信する等して、無線接続要求に係る処理が開始されるとその旨を制御部１６に通知する。また、移動通信機能部１３は、例えば無線接続が確立されて、あるいは無線接続が確立されずに、無線接続要求に係る処理が終了するとその旨を制御部１６に通知する。
【００２０】
上記の移動体通信網におけるセル２１の中には、無線接続要求の送信を禁止する接続要求規制（例えば、３ＧＰＰ（3rd Generation Partnership Project）におけるＡＣＣ（Access Class Control）規制）が移動通信端末１０に対して適用されるものがある。接続要求規制は、セル２１毎に移動通信端末１０に対して適用される規制である。接続要求規制が適用されるか否かは、移動体通信網において、例えば、セル２１毎及び移動通信端末１０（に接続されるＵＩＭ（User Identity Module）又はＳＩＭ（Subscriber Identity Module）等のユーザ識別用のモジュールのクラス）毎に設定される。セル２１において接続要求規制が自端末に対して適用されるか否かの判断は、セル２１に係る報知情報に含まれる情報を参照することにより可能である。
【００２１】
移動通信機能部１３は、位置登録等のために基地局２０から送信されている報知情報を受信することができる。移動通信機能部１３は、報知情報に係るセル２１において無線接続要求の送信を禁止する接続要求規制が自端末に対して適用されるか否かを判断するために、受信した報知情報を判断部１５に送信する。即ち、移動通信機能部１３は、基地局２０から報知情報を受信して、当該受信した報知情報に基づき、当該基地局２０のセル２１において無線接続要求の送信を禁止する接続要求規制が自端末に対して適用されるか否かを判断する判断手段を構成する。
【００２２】
セル移行は、移動通信端末１０が通信相手とする基地局２０を変更することである。セル移行が行われるか否かは、移動通信機能部１３が、移動通信端末１０が受信する、基地局２０からの報知情報の電波の強度（受信レベル）に基づいて判断する。この判断は、記憶部１４に格納されているセル移行判定閾値が用いられる。例えば移行先のセル２１（基地局２０）の電波の強度が、移行元のセル２１（基地局２０）の電波の強度よりも強く、且つセル移行判定閾値を超えている場合に、セル移行を行うと判断される。図２に示すように、セル移行は、例えば、移動通信端末１０（を携帯したユーザ）が、基地局２０ａのセル２１ａから、基地局２０ｂのセル２１ｂに移動して、基地局２０ｂからの電波の強度が基地局２０ａからのものよりも強くなるときに行われる。
【００２３】
記憶部１４は、移動通信機能部１３による制御に必要な情報を記憶しておく記憶手段である。具体的には、例えば、無線接続要求の再送の回数、再送タイマの満了値、及びセル移行の判定閾値等の情報である。これらの情報は、必要に応じて移動通信機能部１３により参照される。
【００２４】
判断部１５は、移動通信機能部１３が受信した報知情報に基づき、当該報知情報に係る基地局２０のセル２１において無線接続要求の送信を禁止する接続要求規制が自端末に対して適用されるか否かを判断する判断手段である。具体的には、判断部１５は、移動通信機能部１３から送信された報知情報に含まれる、接続要求規制が適用されるか否かを判断するための情報を参照して、上記の判断を行う。また、上記の判断では、必要に応じて、自端末（に接続されるユーザ識別用のモジュール）を特定する情報（例えばＩＤ等）が参照される。
【００２５】
制御部１６は、無線接続要求に係る処理中に、判断部１５によりセル２１において接続要求規制が適用されると判断されると、当該セル２１へのセル移行を禁止する制御を行う制御手段である。自端末が無線接続要求に係る処理中であるかは、移動通信機能部１３から通知される。セル移行の禁止の制御は具体的には、例えば、移動通信機能部１３にセル移行を行う判断を行わないように制御することにより行われる。
【００２６】
引き続いて、図３のシーケンス図を用いて、本実施形態の移動通信端末１０で実行される処理（セル移行制御方法）を説明する。この処理は例えば、（１）セル２１の境界付近のエリア（セル移行イベント発生条件）に移動通信端末１０（を携帯したユーザ）が位置しており、かつ（２）セル移行先となりうるセル２１において無線接続要求の送信を禁止する接続要求規制が移動通信端末１０に対して適用される場合に行われる。以下の説明では、移動通信端末１０は、基地局２０ａのセル２１ａに在圏しているとする。また、移動通信端末１０は、基地局２０ａのセル２１ａと基地局２０ｂのセル２１ｂとの境界に位置しており、セル２１ｂにおいて、無線接続要求の送信を禁止する接続要求規制が移動通信端末１０に対して適用されるとする。
【００２７】
まず、移動通信端末１０では、移動通信機能部１３が、送受信部１１を介して、無線接続要求を基地局２０ａに送信する（Ｓ０１）。この無線接続要求の送信は、ユーザの操作により通話を行うための発呼やデータ通信の開始がなされることをトリガとして行われる。この無線接続要求の送信により、無線接続要求に係る一連の処理が開始され、移動通信機能部１３は、その旨を制御部１６に通知する。
【００２８】
その後、移動通信機能部１３が送受信部１１を介して、基地局２０ｂから報知情報を受信する（Ｓ０２、判断ステップ）と、移動通信端末１０では以下の処理が行われる。なお、報知情報の受信は、必ずしもこのタイミングのみに行われているわけではなく常時行われているが、以下のような報知情報の参照はこのタイミングで行われる。移動通信機能部１３により受信された報知情報は、判断部１５に送信される。続いて、判断部１５において、当該報知情報に基づきセル２１ｂにおいて無線接続要求の送信を禁止する接続要求規制が自端末に対して適用されるか否かが判断される（Ｓ０３、判断ステップ）。セル２１ｂにおいては、移動通信端末１０に対して接続要求規制が適用されるので、判断部１５ではそのように判断される。この判断結果は、判断部１５から制御部１６に通知される。
【００２９】
制御部１６は、その通知を受けると、当該セル２１ｂへのセル移行を禁止する制御を行う（Ｓ０４、制御ステップ）。この制御により、移動通信端末１０は、セル２１ｂへのセル移行ができなくなる。上記受信された報知情報が、セル移行の条件を満たす電波強度のものだったとしても、セル２１ｂへセル移行は行われない。
【００３０】
セル２１ｂへのセル移行が行われないので、移動通信端末１０は、基地局２０ａとの間で、以降の無線接続要求に係る処理が行われる（Ｓ０５）。以降の無線接続要求に係る処理は、具体的には、無線接続要求に対する基地局２０ａからの応答の送受信、接続完了通知の送受信及びそれによる無線接続の確立等である。
【００３１】
上述したように、無線接続要求に係る処理中には、移動通信端末１０に対して接続要求規制が適用されるセル２１ｂへのセル移行が行われない。そのようなセル２１ｂへのセル移行が行われると、移動通信端末１０が無線接続要求の再送が行えなくなる等のデッドロック状態となるおそれがあるが、本実施形態によれば、デッドロック状態になることを防止することができる。また、そのようなセル２１ｂへのセル移行が行われると、移動通信端末１０が無線接続要求の再送等が行えないので無線接続を確立できない。しかし、本実施形態によれば、無線接続要求の送信が可能な基地局２０ａとの間で、無線接続を確立することができ、接続率の向上を図ることができる。
【００３２】
なお、本実施形態では、まず移動通信端末１０が無線接続要求を送信することにより、無線接続要求に係る処理が開始されることとしていた。それ以外にも例えば、着信信号を受信した後に当該着信信号に応じた無線接続要求を送信する処理において、本発明が適用されてもよい。その場合、着信信号を受信したことにより無線接続要求に係る処理が開始される。
【００３３】
また、本実施形態では、報知情報を受信した後、報知情報に係る電波強度がセル移行の条件を満たすか否かに係わらず、セル２１において接続要求規制が適用されるか否かを判断している。それ以外でも、例えば、報知情報を受信した後、報知情報に係る電波強度がセル移行の条件を満たすか否かを判断して、セル移行の条件を満たす場合のみ、セル２１において接続要求規制が適用されるか否かを判断してセル移行の禁止の制御を行うこととしてもよい。
【００３４】
また、本実施形態は、移動通信端末１０は、携帯電話機としたが、それ以外でも移動体通信を行うことができる端末、例えば、移動体通信機能を備えたＰＣ（Personal Computer）やＰＤＡ（Personal Digital Assistance）でもよい。
【図面の簡単な説明】
【００３５】
【図１】本発明の実施形態における移動通信端末の構成を示す図である。
【図２】移動通信端末の機能の概要を示す図である。
【図３】本発明の実施形態における移動通信端末で実行される処理（セル移行制御方法）を示すシーケンス図である。
【符号の説明】
【００３６】
１０…移動通信端末、１１…送受信部、１２…携帯電話機能部、１３…移動通信機能部、１４…記憶部、１５…判断部、１６…制御部、２０…基地局、２１…セル。
【図１】
2007201813.tif 000003
【図２】
2007201813.tif 000004
【図３】
2007201813.tif 000005